(57)【要約】【課題】ネットワーク障害が発生してもストリームデータを蓄積するネットワーク蓄積型システム、その伝送装置および蓄積サーバを提供。【解決手段】映像伝送装置16からIPネットワーク14を介してストリームデータを蓄積サーバ20に蓄積させるとともに、蓄積サーバ20から映像再生装置22にストリームデータを配信する際に蓄積サーバ20から映像伝送装置16宛に受信確認を示すRTCP-RRパケット信号をIPネットワーク14を介して送信し、映像伝送装置16は、RTCP-RRパケット信号の未受信に基づいてネットワーク障害を認識するとともに、ストリームデータを挿抜可能メモリに蓄積し、ネットワーク障害の復旧後に、管理サーバ18は、映像伝送装置16にて蓄積したストリームデータを映像再生装置16からダウンロードさせる。【選択図】図１
2007235753.tif 000002
【特許請求の範囲】
【請求項１】
伝送装置からIPネットワークを介して送信されるストリームデータを蓄積サーバにて蓄積するとともに再生装置に配信するネットワーク蓄積型システムにおいて、前記伝送装置は、前記ストリームデータを前記蓄積サーバに送信し、
前記蓄積サーバは、前記ストリームデータを受信している際に、受信確認を示すパケット信号を前記IPネットワークを介して前記伝送装置宛に送信し、
前記伝送装置は、前記パケット信号の受信の有無に応じて前記蓄積サーバにおける前記ストリームデータの未受信を検知してネットワーク障害を認識するとともに、前記ストリームデータの送信を中断して該ストリームデータをメモリに蓄積することを特徴とするネットワーク蓄積型システム。
【請求項２】
請求項１に記載のネットワーク蓄積型システムにおいて、前記伝送装置は前記ネットワーク障害の発生後に前記パケット信号を前記蓄積サーバから受信すると該ネットワーク障害の復旧を認識することを特徴とするネットワーク蓄積型システム。
【請求項３】
請求項２に記載のネットワーク蓄積型システムにおいて、該システムは、前記伝送装置および前記蓄積サーバを制御する管理サーバを含み、
前記伝送装置は前記ネットワーク障害の発生によって蓄積したストリームデータを収集するためのネットワーク断蓄積情報を、前記ネットワーク障害の復旧後に前記管理サーバに通知し、
前記管理サーバは、前記ネットワーク断蓄積情報基づいて前記蓄積サーバに対し、前記伝送装置にて蓄積したストリームデータをダウンロードすることを指示し、
前記蓄積サーバは、前記管理サーバの前記指示に基づいて前記ストリームデータを前記伝送装置からダウンロードすることを特徴とするネットワーク蓄積型システム。
【請求項４】
請求項１に記載のネットワーク蓄積型システムにおいて、該システムは、前記蓄積サーバが前記IPネットワークを介して複数接続されて、前記ストリームデータを複数の蓄積サーバ間で順次後段に転送して前記再生装置へ伝送し、
前記蓄積サーバは、それぞれ前記受信確認を示すパケット信号を前記IPネットワークを介してそれぞれ前段の前記蓄積サーバに送信することを特徴とするネットワーク蓄積型システム。
【請求項５】
ストリームデータを蓄積サーバにて蓄積するとともに再生装置に配信するネットワーク蓄積型システムにおいて前記ストリームデータをIPネットワークを介して送信する伝送装置において、該伝送装置は、前記ストリームデータを前記蓄積サーバに送信し、該ストリームデータの受信確認を示すパケット信号を前記IPネットワークを介して前記伝送装置から受信し、該パケット信号の受信の有無に応じて前記蓄積サーバにおける前記ストリームデータの未受信を検知してネットワーク障害を認識するとともに、前記ストリームデータの送信を中断して該ストリームデータをメモリに蓄積することを特徴とする伝送装置。
【請求項６】
請求項５に記載の伝送装置において、該装置は、前記ネットワーク障害の発生後に前記パケット信号を前記蓄積サーバから受信すると該ネットワーク障害の復旧を認識することを特徴とする伝送装置。
【請求項７】
請求項６に記載の伝送装置において、前記ネットワーク蓄積型システムは、前記伝送装置および前記蓄積サーバを制御する管理サーバを含み、該装置は、
前記ネットワーク障害の発生によって蓄積したストリームデータを収集するためのネットワーク断蓄積情報を、前記ネットワーク障害の復旧後に前記管理サーバに通知し、
前記管理サーバは、前記ネットワーク断蓄積情報基づいて前記蓄積サーバに対し、前記伝送装置にて蓄積したストリームデータをダウンロードすることを指示し、
前記蓄積サーバからの要求に応じて、前記蓄積したストリームデータを前記蓄積サーバに送信することを特徴とする伝送装置。
【請求項８】
伝送装置からIPネットワークを介して送信されるストリームデータを蓄積するとともに再生装置に配信するネットワーク蓄積型システムにおいて前記ストリームデータを蓄積する蓄積サーバにおいて、該蓄積サーバは、前記ストリームデータを受信している際に、受信確認を示すパケット信号を前記IPネットワークを介して前記伝送装置宛に送信し、
前記伝送装置は、前記パケット信号の受信の有無に応じて前記蓄積サーバにおける前記ストリームデータの未受信を検知してネットワーク障害を認識するとともに、前記ストリームデータの送信を中断して該ストリームデータをメモリに蓄積し、
該ネットワーク障害の復旧が認識されると前記伝送装置に対して前記メモリに蓄積されたストリームデータをダウンロードすることを特徴とする蓄積サーバ。
【発明の詳細な説明】
【技術分野】
【０００１】
本発明は、ビデオ・オーディオストリームをネットワーク上の蓄積サーバで蓄積するネットワーク蓄積型システム、その伝送装置および蓄積サーバに係り、たとえば、ネットワーク障害によるストリーム配信不可時に、ビデオ・オーディオストリームを蓄積し、ネットワーク障害復旧後に蓄積収集するネットワーク蓄積型システム、その伝送装置および蓄積サーバに関するものである。
【背景技術】
【０００２】
従来、動画蓄積サーバ装置などの装置から動画をネットワークを介して配信するシステムとして、たとえば特許文献１に記載のものがあった。
【０００３】
このような動画蓄積サーバ装置は、パケットロスしたシーケンス番号を動画蓄積サーバ装置からデジタルビデオカメラ映像装置へ通知することによって、パケットロスしたパケットをデジタルビデオカメラ映像装置のバッファ内に蓄積する。
【０００４】
ビデオ・オーディオストリームのリアルタイム伝送の終了後または伝送中に、デジタルビデオカメラ映像装置は、蓄積したパケットをネットワークを通じて動画蓄積サーバ装置へ送信し、デジタルビデオカメラ映像装置にて完全なビデオ・オーディオデータを復元する。
【特許文献１】特開２００５−１９８０５５号公報
【発明の開示】
【発明が解決しようとする課題】
【０００５】
しかしながら、これら動画蓄積サーバ装置およびデジタルビデオカメラ映像装置によるネットワーク蓄積型システムでは、蓄積サーバを複数設置した場合に、ネットワーク障害によってストリーム経路が絶たれたり十分な回線帯域が得られずにパケットロス状態となったりしたときに、ビデオ・オーディオストリームの蓄積が保証できないという問題があった。
【０００６】
また、複数の蓄積サーバを直列に接続してビデオ・オーディオストリームを配信する場合、蓄積サーバ間でネットワーク切断が発生した場合に、ビデオ・オーディオストリームを蓄積することができないという問題があった。
【０００７】
本発明はこのような課題に鑑み、ネットワーク障害が発生してもストリームデータを蓄積することのできるネットワーク蓄積型システム、その伝送装置および蓄積サーバを提供することを目的とする。
【課題を解決するための手段】
【０００８】
本発明は上述の課題を解決するために、ストリームデータを蓄積サーバにて蓄積するとともに再生装置に配信するネットワーク蓄積型システムにおいて、伝送装置は、ストリームデータを前記蓄積サーバに送信し、蓄積サーバは、ストリームデータを受信している際に、受信確認を示すパケット信号をIPネットワークを介して伝送装置宛に送信し、伝送装置は、パケット信号の受信の有無に応じて蓄積サーバにおけるストリームデータの未受信を検知してネットワーク障害を認識するとともに、ストリームデータの送信を中断してストリームデータをメモリに蓄積することを特徴とする。
【０００９】
また、本発明は上述の課題を解決するために、ストリームデータを蓄積サーバにて蓄積するとともに再生装置に配信するネットワーク蓄積型システムにおいてストリームデータをIPネットワークを介して送信する伝送装置において、この伝送装置は、ストリームデータを蓄積サーバに送信し、ストリームデータの受信確認を示すパケット信号をIPネットワークを介して伝送装置から受信し、パケット信号の受信の有無に応じて蓄積サーバにおけるストリームデータの未受信を検知してネットワーク障害を認識するとともに、ストリームデータの送信を中断してストリームデータをメモリに蓄積することを特徴とする。
【００１０】
また、本発明は上述の課題を解決するために、伝送装置からIPネットワークを介して送信されるストリームデータを蓄積するとともに再生装置に配信するネットワーク蓄積型システムにおいてストリームデータを蓄積する蓄積サーバにおいて、この蓄積サーバは、ストリームデータを受信している際に、受信確認を示すパケット信号をIPネットワークを介して伝送装置宛に送信し、伝送装置は、パケット信号の受信の有無に応じて蓄積サーバにおけるストリームデータの未受信を検知してネットワーク障害を認識するとともに、ストリームデータの送信を中断してストリームデータをメモリに蓄積し、ネットワーク障害の復旧が認識されると伝送装置に対してメモリに蓄積されたストリームデータをダウンロードすることを特徴とする。
【発明の効果】
【００１１】
本発明によれば、伝送装置は、パケット信号の受信の有無に応じて蓄積サーバにおけるストリームデータの未受信を検知してネットワーク障害を認識するとともに、ストリームデータの送信を中断して該ストリームデータをメモリに蓄積することができ、これにより、ネットワーク障害の発生中におけるストリームデータを障害の復旧後に再生装置に受信させることができる。
テム。
【発明を実施するための最良の形態】
【００１２】
次に添付図面を参照して本発明によるネットワーク蓄積型システムの実施例を詳細に説明する。図１を参照すると、本発明が適用されたネットワーク蓄積型システムの一実施例が示されている。本実施例におけるネットワーク蓄積型システム10は、撮像したアナログ映像の映像信号を出力する映像入力装置11およびアナログ音声の音声信号を出力する音声入力装置11を接続線100および102を介してそれぞれ接続し、映像信号および音声信号をそれぞれ入力して、これら映像信号および音声信号をパケット信号にパケット化し、IP (Internet Protocol)ネットワーク14を介して他の装置に伝送する映像伝送装置16を含む。なお、以下の説明において本発明に直接関係のない部分は、図示およびその説明を省略し、また、信号の参照符号はその現われる接続線の参照番号で示す。
【００１３】
IPネットワーク14にはさらに管理サーバ18と蓄積サーバ20とがそれぞれ接続されて、映像伝送装置16から接続線104を介して伝送されるパケット信号が管理サーバ18の管理の下に蓄積サーバ20に蓄積される。管理サーバ18は、接続線106,108を介してそれぞれ映像伝送装置16および蓄積サーバ20を管理する制御を行う。
【００１４】
蓄積したパケット信号は、IPネットワーク14に接続線110を介して接続される映像再生装置22に伝送される。映像再生装置22は、蓄積サーバ20から伝送されるパケット信号を受信して、映像信号と音声信号とを再生し、再生した信号を接続線112,114を介してそれぞれ映像出力装置24および音声出力装置26に出力する。
【００１５】
映像伝送装置16は、入力される映像および音声信号を圧縮符号化およびパケット化等の処理し、処理して生成したパケット信号をIPネットワーク14側に配信する配信装置である。
【００１６】
映像伝送装置16の内部構成例を図２に示す。図示するように映像伝送装置16は、接続線100,102に接続される符号化／配信処理部200と、符号化／配信制御部202と、挿抜可能メモリ204と、IPネットワーク14に接続されるネットワークインタフェース206とを含む。
【００１７】
符号化／配信処理部200は、さらに接続線100,102に接続されて映像および音声のアナログ信号を圧縮符号化する符号化部210を有し、符号化部210の出力214は挿抜可能メモリ204に接続され、出力216はRTP処理部218に接続される。
【００１８】
RTP処理部218は、符号化部210の出力216および挿抜可能メモリ204の出力220に接続され、圧縮符号化された映像および音声信号をRTP(Real-time Transport Protocol)によりパケット化し、パケット信号を出力222に出力する。RTP処理部218は、接続線224を介して接続されるRTCP処理部226によって制御される。
【００１９】
RTCP処理部226は、受信側から返信される受信確認信号を接続線228を介して入力してRTP処理部218を制御する。受信確認信号はRTCP(Real-time Control Protocol)による受信パケット信号から得られる。
【００２０】
RTP処理部218およびRTCP処理部224に接続された送受信処理部230は、ネットワークインタフェース206とのパケット信号の送受信においてパケット化および非パケット化の処理を行うパケットの分解組み立て処理部である。送受信処理部230はパケット化したパケット信号を出力232に出力し、受信されるパケット信号を入力234に入力する。この入力234には、たとえば上述の受信確認信号を含むパケット信号が入力される。
【００２１】
ネットワークインタフェース206は、データリンク形態に合わせて送受信パケットを処理するインタフェース回路である。ネットワークインタフェース206には符号化／配信制御部202が接続されている。また、ネットワークインタフェース206は接続線104,106,236を介してそれぞれIPネットワーク14に接続される。なお、これら複数の接続線104,106,236は、ネットワークへの接続経路を個別に示すものでもあり、実際の接続には少なくとも一つの接続線にてネットワークに接続するものでよい。
【００２２】
次に図１に示した蓄積サーバ20の内部構成例を図３を参照して説明する。蓄積サーバ20は、IPネットワーク14を介して受信したパケット信号に含まれる映像および音声信号を固定ディスク装置300に蓄積するとともに、同時に映像再生装置22（図１）へ中継配信する配信サーバである。
【００２３】
蓄積サーバ20は、IPネットワーク14に接続されるネットワークインタフェース302と、蓄積／配信処理部304と、蓄積／配信制御部306と、固定ディスク装置300とを含む。ネットワークインタフェース300は、送受信パケットを処理するインタフェース回路であり、その出力310および入力312,314は蓄積／配信処理部304に接続されている。
【００２４】
蓄積／配信処理部304は、さらに送受信処理部316と、RTP処理部318と、RTCP処理部320と蓄積処理部322とを含む。送受信処理部316は、ネットワークインタフェース302とのパケット信号の送受信においてパケット化および非パケット化の処理を行うパケットの分解組み立て処理部である。送受信処理部230は入力310に入力されるパケットのストリーム信号を出力312にそのまま出力する機能を有するとともに、パケット信号310から映像および音声信号を抽出して出力324に出力し、入力326に入力される受信確認信号をパケット化して出力314に出力する。
【００２５】
送受信処理部230の出力324に接続されるRTP処理部318は、RTPによりパケット化された受信パケットから映像および音声信号を抽出する処理部であり、その出力328は蓄積処理部322に接続されている。
【００２６】
蓄積処理部322は、RTP処理部318から出力される映像および音声信号を固定ディスク装置300に蓄積して保存する処理を行う処理部である。
【００２７】
RTP処理部318は、接続線330を介してRTCP処理部320が接続されている。RTCP処理部320は、RTP処理部318を制御するとともに、受信確認信号等の制御信号を生成してRTCP-RRパケットとして出力326に出力する。
【００２８】
RTCP-RRパケットの構成を図６に示す。図示するようにRTCP-RRパケット400はそのビット０〜１にバージョンを示す項目Ｖと、ビット２にパディングの有無を示す項目Ｐと、ビット３〜７にリポートブロック数を示す項目RCと、ビット８〜15にパケットタイプを示す項目PTと、ビット16〜31にパケット全体の長さを示す項目Lengthとを含み、送信者の識別子を示す項目SSRCとを含む受信レポート(RR)である。項目Ｖの数値は値２であり、項目Ｐは値０であり、項目RCは値０であり、項目PTは受信レポートを示す値201であり、項目Lengthは値１であり、項目SSRCは、ストリーム中で固定のランダム値である。
【００２９】
次に図１に示した管理サーバ20の内部構成例を図４を参照して説明する。管理サーバ18は、接続線106,108に接続されるネットワークインタフェース400と、管理制御部402と、データベース404とを含み、データベース400に記録された配信情報および符号化制御情報等の情報に基づいて管理制御部402からネットワークインタフェースを介して、映像伝送装置16、蓄積サーバ20および映像再生装置22を制御する制御サーバである。
【００３０】
次に図１に示した映像再生装置22の内部構成例を図５を参照して説明する。映像再生装置22は、IPネットワーク14に接続される接続線110から入力される映像および音声のストリーム信号を復号して再生する再生装置であり、ネットワークインタフェース500と、送受信処理部502と、復号処理部504とを含む。復号処理部504は、受信処理部502から与えられる受信パケットを復号し、復号処理された映像および音声信号をそれぞれ出力112,114に出力する。
【００３１】
以上のシステム構成で本実施例におけるネットワーク蓄積型システム10の動作を図８に示す動作シーケンスを参照して説明する。この動作例は映像および音声ストリーミングの配信中にネットワーク障害が発生して蓄積サーバ20にてストリームを受信できなくなる状態から、ネットワーク障害が復旧して蓄積サーバ20がストリームを受信可能状態に至るまでの間のストリーム蓄積方法と、蓄積データの収集方法とを含む。
【００３２】
まず管理サーバ18は、ネットワーク断蓄積モードを映像伝送装置16に指定するモード設定が行われる(S800)。映像伝送装置16はこのモード設定に対しレスポンスを管理サーバ18に返信する(S802)。このネットワーク断蓄積モードは、映像伝送装置16が蓄積サーバ20に対しストリームが正常に送信できていないことを検知したときに、ストリームを自動的に蓄積サーバ20に蓄積させるためのモードである。
【００３３】
次いで管理サーバ18から映像伝送装置16にエンコード開始要求が送信される(S804)。このエンコード開始要求を受信した映像伝送装置16では、レスポンスを管理サーバ18に送信し(S806)、さらに符号化／配信制御部202が符号化／配信処理部200を制御して映像および音声信号のストリームデータを生成し指定の蓄積サーバ20宛に送信する(S808)。これと同時に映像伝送装置16は、エンコードを開始したことを示すエンコード状態変化通知を管理サーバ18に送信する(S810)。
【００３４】
このとき、符号化部210は、映像および音声信号を入力してRTP処理部218にてRTPパケットした後、RTPパケットを送受信処理部230およびネットワークインタフェース206を介してIPネットワーク14にストリーミング配信する。
【００３５】
蓄積サーバ20は映像伝送装置16からのストリームデータを受信すると、RTCP処理部318にてRTCP-RRパケット400を生成して周期的に映像伝送装置16に送信する(S812,S814,...)。このRTCP-RRパケット400には各ストリームの識別子SSRCが含まれている。
【００３６】
次いで管理サーバ18は、ネットワーク断監視開始要求が映像伝送装置16に送信される(S816)と、映像伝送装置16はレスポンスを管理サーバ18に送信する(S818)。また、映像伝送装置16では引き続いてRTCP-RRパケット400の受信を確認してストリームデータが蓄積サーバ20に正常に届いているか否かを監視している。このRTCP-RRパケット400の確認処理は、RTCP処理部226にて行われる。
【００３７】
ここでネットワーク障害が発生し、蓄積サーバ20にてストリームデータが受信できなくなった状態になると、映像伝送装置16にてRTCP-RRパケット400の受信ができなくなる(S820,S822,...S824,S826)。すると映像伝送装置16は、蓄積サーバ20にてストリームを正常受信できないことを判断して、符号化部210は挿抜可能メモリ204に映像および音声のストリームを蓄積開始させる。
【００３８】
ネットワーク障害が復旧すると、映像伝送装置16は蓄積サーバから送信されているRTCP-RRパケット400を受信する(S828)。これにより蓄積サーバが正常にストリームを受信していることを映像伝送装置16が検知して、挿抜可能メモリ204への蓄積を停止する。
【００３９】
このとき映像伝送装置16は管理サーバ18に対し、ネットワーク障害が復旧したことを示す警報通知を送信する(S830)。この警報通知を受けると管理サーバ18は、ネットワークの障害中に挿抜可能メモリ204にデータを蓄積した時間情報やストリーム情報を含むネットワーク断蓄積情報を映像伝送装置16から読み出す(S832)。このネットワーク断蓄積情報の構成例を図７に示す。
【００４０】
図示するように、ネットワーク断蓄積情報700は、蓄積を開始したファイル名を示す蓄積ファイル名と、蓄積を開始した時刻を示す蓄積開始時刻と、蓄積を終了した時刻を示す蓄積終了時刻とを含む情報である。図８に戻って、このネットワーク断蓄積情報700を映像伝送装置16からのレスポンス(S834)により取得した管理サーバ20は、ネットワーク断蓄積情報に基づいて蓄積サーバ20に対して蓄積データのダウンロードを指示する(S836)。
【００４１】
次いで蓄積サーバ20は、映像伝送装置16に対しFTP (File Transfer Protocol)接続し、挿抜可能メモリ204（図２）に蓄積されている蓄積ファイルのデータをダウンロードする(S840)。このダウンロードが終了すると映像伝送装置16は、管理サーバからの指示を受けて(S842)、ネットワーク断蓄積情報と、挿抜可能メモリ204に蓄積したデータとを消去し、そのレスポンスを管理サーバ18に送信する(S844)。
【００４２】
以上のように本実施例では、蓄積サーバ20ストリーム受信時にRTCP-RRパケットを周期的に送信し、映像伝送装置16がRTCP-RRパケットを受信できなくなった状態を検知することにより、ネットワーク障害によってストリームが蓄積サーバ20にて受信できていないことを判断することができる。そのネットワーク障害発生の期間中に挿抜可能メモリに映像および音声データを蓄積しておくことができる。また、ネットワーク障害が復旧すると、映像伝送装置16は、ネットワーク断蓄積情報を管理サーバ18に送信し、これを受けた管理サーバ18が蓄積サーバ20に対してFTP接続によるダウンロードを指示することで蓄積サーバ20によって映像および音声データの自動収集を行うことが可能となる。
【００４３】
次にネットワーク蓄積型システムの他の実施例を図９および図10を参照して説明する。図９に示すように本実施例におけるネットワーク蓄積型システム900は、複数の蓄積サーバ(#1〜#3) 20がIPネットワーク14に接続されて、映像伝送装置16から送信される映像および音声のストリーム信号を複数の蓄積サーバ(#1〜#3) 20にてバケツリレー式に順次転送して、最終的に映像再生装置22に配信するシステムである。本実施例における各構成は図１に示した実施例における同じ参照番号の構成と同様の構成でよいのでその詳細説明を省略する。
【００４４】
本実施例では、映像伝送装置16から送信されるストリームを蓄積サーバ(#1) 20にて受信し、蓄積サーバ(#1) 20は受信したストリームデータを蓄積サーバ(#2) 20に転送する。同様にして蓄積サーバ(#2) 20は、受信したストリームデータを蓄積サーバ(#3) 20に転送し、蓄積サーバ(#3) 20は、受信したストリームデータを映像再生装置22に転送するシステム構成である。
【００４５】
また、本実施例では複数の蓄積サーバ(#1〜#3) 20のうち、蓄積サーバ(#3) 20のみが受信ストリームデータを固定ディスク装置300へ蓄積し、他の蓄積サーバ(#1,#2) 20ではストリームデータを蓄積しないように設定されている。
【００４６】
本実施例におけるネットワーク蓄積型システム900の動作を図10に示す動作シーケンスを参照して説明する。この例では、蓄積サーバ(#2) 20と蓄積サーバ(#3) 20との間でネットワーク切断が発生した場合を示している。
【００４７】
各蓄積サーバ20は、ストリームデータを受信し、さらにストリームデータの送信先、つまり次段の装置から送られるRTCP-RRパケットを受信してネットワークを監視しているとともに、各蓄積サーバ20は、ストリームデータの送信元に対しRTCP-RRパケットを送信する。この蓄積サーバ20の機能により、図示するように、映像伝送装置から各蓄積サーバ(#1〜#3) 20へのストリーム配信経路にてネットワーク切断が発生した場合であっても、ネットワーク障害中の映像および音声のストリームデータを映像伝送装置16のたとえば挿抜可能メモリ204（図１）に蓄積することができる。
【００４８】
以上のように本実施例によれば、ストリーム配信経路上に存在していて受信蓄積しない蓄積サーバ(#1,#2) 20は、ストリームデータを受信し、かつ、ストリーム送信先の次段の蓄積サーバ20から送信されるRTCP-RRパケットを周期的に受信しているときに、全段の蓄積サーバ20にRTCP-RRパケットを周期的に送信する。これによって、ストリーム配信経路において蓄積サーバ20間でネットワーク切断が発生した場合であってもネットワーク障害中の映像および音声データの蓄積が映像伝送装置16にて可能となる。
【００４９】
なお、図１および図９に示した各実施例では、映像入力装置11と音声入力装置12とが別の構成として示しているが、これに限らず、映像入力および音声入力が可能な一つの装置であってもよく、また映像伝送装置にこれら映像および音声の入力機能を備えるものであってもよい。同様に、各実施例における映像出力装置24および音声出力装置26は、映像および音声の出力が可能な一つの装置として構成してもよく、またこれら機能を映像再生装置22内に備えるように構成してもよい。
【図面の簡単な説明】
【００５０】
【図１】本発明が適用されたネットワーク蓄積型システムの一実施例を示すブロック図である。
【図２】映像伝送装置の構成例を示すブロック図である。
【図３】蓄積サーバの構成例を示すブロック図である。
【図４】管理サーバの構成例を示すブロック図である。
【図５】映像再生装置の構成例を示すブロック図である。
【図６】RTCP-RRパケットの構成例を示すブロック図である。
【図７】ネットワーク断蓄積情報の構成例を示すブロック図である。
【図８】ネットワーク蓄積型システムの動作シーケンスを示す図である。
【図９】本発明が適用されたネットワーク蓄積型システムの他の実施例を示すブロック図である。
【図１０】図９に示したネットワーク蓄積型システムの動作シーケンスを示す図である。
【符号の説明】
【００５１】
10  ネットワーク蓄積型システム
16  映像伝送装置
18  管理サーバ
20  蓄積サーバ
22  映像再生装置
【図１】
2007235753.tif 000003
【図２】
2007235753.tif 000004
【図３】
2007235753.tif 000005
【図４】
2007235753.tif 000006
【図５】
2007235753.tif 000007
【図６】
2007235753.tif 000008
【図７】
2007235753.tif 000009
【図８】
2007235753.tif 000010
【図９】
2007235753.tif 000011
【図１０】
2007235753.tif 000012